(57)【要約】【課題】一つの表示ユニットの一部や複数の表示ユニットにまたがる領域に発生する不規則な形状の輝度ムラや色度ムラを纏めて補正する映像表示装置を提供すること。【解決手段】映像の映像データ信号を生成する映像データ信号生成手段１４０と、複数の表示ユニットで形成された画面に映像を表示する映像表示手段１１０と、複数の表示ユニットの補正係数をそれぞれ格納する補正係数格納手段１３０と、複数の表示ユニットをそれぞれ制御する表示制御手段１２０と、少なくとも１つの絵素を選択する絵素選択手段１５０と、補正係数を変更する変更情報を取得し、補正係数を変更する補正係数変更手段１６０とを備える。【選択図】　　　　　図２
2004062068.tif 000002
【特許請求の範囲】
【請求項１】
予め設定されたテストパターン映像の映像データ信号を生成する映像データ信号生成手段と、複数の表示ユニットで形成された画面に前記予め設定されたテストパターン映像を表示する映像表示手段と、前記複数の表示ユニットの補正係数をそれぞれ格納する複数の補正係数格納手段と、前記補正係数に基づいて前記複数の表示ユニットをそれぞれ制御する複数の表示制御手段と、前記画面から少なくとも１つの絵素を選択する絵素選択手段と、選択された前記絵素に対応する前記補正係数を変更する変更情報に基づいて選択された前記絵素の前記補正係数を変更する補正係数変更手段とを備えることを特徴とする映像表示装置。
【請求項２】
前記映像データ信号生成手段が、前記画面に前記絵素を示すカーソルが表示されるよう前記映像データ信号を生成し、前記カーソルで示された前記絵素が選択されたとき、選択された前記絵素を示すマーキングが表示されるよう前記映像信号を生成することを特徴とする請求項１に記載の映像表示装置。
【請求項３】
前記補正係数が、少なくとも前記絵素の輝度を制御する輝度補正係数を含み、前記輝度補正係数を変更する前記変更情報が入力されたとき、前記補正係数変更手段が前記変更情報に基づいて前記絵素ごとに前記輝度補正係数を変更することを特徴とする請求項１に記載の映像表示装置。
【請求項４】
前記補正係数が、少なくとも前記絵素の色温度を制御する色温度補正係数を含み、前記色温度補正係数を変更する前記変更情報が入力されたとき、前記補正係数変更手段が前記変更情報に基づいて前記絵素ごとに前記色温度補正係数を変更することを特徴とする請求項１に記載の映像表示装置。
【請求項５】
前記補正係数が、少なくとも前記絵素のホワイトバランスを制御するホワイトバランス補正係数を含み、前記ホワイトバランス補正係数を変更する前記変更情報が入力されたとき、前記補正係数変更手段が前記変更情報に基づいて前記絵素ごとに前記ホワイトバランス補正係数を変更することを特徴とする請求項１に記載の映像表示装置。
【発明の詳細な説明】
【０００１】
【発明の属する技術分野】
本発明は、大型スタジアム、多目的ホール、ビル外壁などに設置される映像表示装置に関する。
【０００２】
【従来の技術】
従来、この種の映像表示装置として、特開２００１‐２９０４７１号公報に記載されたものが知られている。この従来の映像表示装置１は、図７に示すように、操作パネル２を有する１つの入力装置３に接続されており、三原色の発光素子からなる画素を集積配置した表示ユニット４と、この表示ユニット４を複数個マトリクス状に組み合わせてなる映像表示部５と、この映像表示部５に電力を供給する分電盤６と、マトリクス状に配置された複数の表示ユニット４に映像データ信号を分配する表示データ分配器７と、表示データ分配器７を介して映像表示部５を制御する映像制御部８とを備えている。また、入力装置３としてパーソナルコンピュータ等の外部端末が使用されている。
【０００３】
また、映像制御部８は、読取り専用メモリ（以下、単にＲＯＭという。）９、中央処理装置（以下、単にＣＰＵという）１０および表示盤制御メモリ１１を備えている。ＲＯＭ９は、映像表示装置１に関する制御パラメータとなる各種構成情報および設定情報を記憶している。ＣＰＵ１０は、入力装置３からＣＰＵ１０に命令が入力されることにより、入力された命令に対応する制御パラメータをＲＯＭ９から読み出し、読み出された制御パラメータに基づくデータを制御データとして表示盤制御メモリ１１に書き込むようになっている。
【０００４】
さらに、映像制御部８は、表示盤制御メモリ１１に書き込まれた制御データに基づいて映像表示部５を制御するようになっている。したがって、映像表示装置１に仕様変更があったときには、入力装置３の操作によりＲＯＭ９に記憶されている各種の制御パラメータを更新したり、新しい制御パラメータを記憶させたＲＯＭ９に付け替えたりして、映像表示装置１の仕様変更に対応している。
【０００５】
このような映像表示装置１においては、表示ユニット４ごとに映像の輝度や色度が予め設定された規格内に調整されているが、複数の表示ユニット４で形成された画面では、複数の表示ユニット間の輝度や色度の差により目立ってしまう表示ユニット４がある。また、修理のために表示ユニット４を交換したときには、他の表示ユニット４に比較して交換した表示ユニット４が明るく目立ってしまう。このような表示ユニット間の輝度や色度の差を輝度ムラや色度ムラとして認識させないように、次のような方法で操作者が補正作業を行っていた。
【０００６】
すなわち、複数の表示ユニット４で形成された画面に表示される映像の輝度ムラや色度ムラの補正作業は、操作者が入力装置３の表示部の画面に表示される補正対象の表示ユニット４の制御情報と、映像表示装置１の補正対象の表示ユニット４の映像とを目で確認しながら表示ユニット４ごとに行っていた。
【０００７】
また、このような映像表示装置１においては、映像表示装置１の設置される環境や、設置された建物の壁や柱の構造により、一つの表示ユニット４の一部や複数の表示ユニット４にまたがる部分に不規則な形状の輝度ムラや色度ムラが発生することがあった。このような不規則な形状の輝度ムラや色度ムラの補正作業は、補正対象の絵素ごとに行っていた。
【０００８】
【発明が解決しようとする課題】
しかしながら、従来の映像表示装置は、複数の表示ユニットで形成された画面の一つの表示ユニットの一部や複数の表示ユニットにまたがる領域に発生する不規則な形状の輝度ムラや色度ムラを絵素ごとに補正しなければならないため、補正作業が煩雑であるという問題があった。
【０００９】
本発明は、このような問題を解決するためになされたもので、表示ユニットの一部や複数の表示ユニットにまたがる領域に発生する不規則な形状の輝度ムラや色度ムラの補正作業を容易にすることができる映像表示装置を提供するものである。
【００１０】
【課題を解決するための手段】
本発明の映像表示装置は、予め設定されたテストパターン映像の映像データ信号を生成する映像データ信号生成手段と、複数の表示ユニットで形成された画面に前記予め設定されたテストパターン映像を表示する映像表示手段と、前記複数の表示ユニットの補正係数をそれぞれ格納する複数の補正係数格納手段と、前記補正係数に基づいて前記複数の表示ユニットをそれぞれ制御する複数の表示制御手段と、前記画面から少なくとも１つの絵素を選択する絵素選択手段と、選択された前記絵素に対応する前記補正係数を変更する変更情報に基づいて選択された前記絵素の前記補正係数を変更する補正係数変更手段とを備える構成を有している。
【００１１】
この構成により、選択された絵素の補正係数を変更することができる。
【００１２】
また、本発明の映像表示装置は、前記映像データ信号生成手段が、前記画面に前記絵素を示すカーソルが表示されるよう前記映像データ信号を生成し、前記カーソルで示された前記絵素が選択されたとき、選択された前記絵素を示すマーキングが表示されるよう前記映像信号を生成する構成を有している。
【００１３】
この構成により、画面に補正対象の絵素を示すことができる。
【００１４】
また、本発明の映像表示装置は、前記補正係数が、少なくとも前記絵素の輝度を制御する輝度補正係数を含み、前記輝度補正係数を変更する前記変更情報が入力されたとき、前記補正係数変更手段が前記変更情報に基づいて前記絵素ごとに前記輝度補正係数を変更する構成を有している。
【００１５】
この構成により、選択された絵素の輝度補正係数を変更することができる。
【００１６】
また、本発明の映像表示装置は、前記補正係数が、少なくとも前記絵素の色温度を制御する色温度補正係数を含み、前記色温度補正係数を変更する前記変更情報が入力されたとき、前記補正係数変更手段が前記変更情報に基づいて前記絵素ごとに前記色温度補正係数を変更する構成を有している。
【００１７】
この構成により、選択された絵素の色温度補正係数を変更することができる。
【００１８】
また、本発明の映像表示装置は、前記補正係数が、少なくとも前記絵素のホワイトバランスを制御するホワイトバランス補正係数を含み、前記ホワイトバランス補正係数を変更する前記変更情報が入力されたとき、前記補正係数変更手段が前記変更情報に基づいて前記絵素ごとに前記ホワイトバランス補正係数を変更する構成を有している。
【００１９】
この構成により、選択された絵素のホワイトバランス補正係数を変更することができる。
【００２０】
【発明の実施の形態】
以下、本発明の実施の形態について、図面を参照して説明する。
【００２１】
図１及び図２は、本発明に係る映像表示装置の概略構成のブロック図を示す。
【００２２】
図１に示すように、本発明の映像表示装置１００は、複数の表示ユニット１３１が配列され形成された１つの画面に映像を表示する映像表示部１３２と、複数の表示ユニット１３１に映像データ信号をそれぞれ分配する信号分配器１２１と、入力されたアナログ映像信号をデジタル映像信号に変換するアナログデジタル変換部１１１（以下、単にＡＤ変換部という。）と、映像表示部１３２の画面に表示される映像の明るさや色合い等を調整する映像調整部１１２と、映像表示部１３２の画面に表示されるテスト信号を発生するテスト信号発生部１１３と、映像表示部１３２に映像データ信号を伝送する信号伝送部１１４と、映像表示部１３２から伝送される監視情報を受信する監視情報受信部１１５と、ＣＰＵ１１６と、メモリ１１７と、制御情報を格納する制御情報格納部１１８と、制御情報を入力する操作パネル１１９とを備えている。
【００２３】
また、図２に示すように、映像表示部１３２は、複数の表示ユニット１３１で形成された画面に予め設定されたテストパターン映像を表示する映像表示手段１１０と、複数の表示ユニット１３１の補正係数をそれぞれ格納する複数の補正係数格納手段１３０と、複数の補正係数格納手段１３０に格納された補正係数に基づいて複数の表示ユニット１３１をそれぞれ制御する複数の表示制御手段１２０とを備えている。
【００２４】
テスト信号発生部１１３は、予め設定されたテストパターン映像の映像データ信号を生成する映像データ信号生成手段１４０を構成している。
【００２５】
ＣＰＵ１１６は、画面から少なくとも１つの絵素を選択する絵素選択手段１５０と、選択された複数の絵素に対応する補正係数を同時に変更する変更情報を取得し、変更情報に基づいて選択された絵素の補正係数を同時に変更する補正係数変更手段１６０とを含んでいる。
【００２６】
映像データ信号生成手段１４０は、画面に絵素を示すカーソルが表示されるよう映像データ信号を生成し、カーソルで示された絵素が選択されたとき、選択された絵素を示すマーキングが表示されるよう映像データ信号を生成するようになっている。
【００２７】
ここで、補正係数は、少なくとも絵素の輝度を制御する輝度補正係数を含み、輝度補正係数を変更する変更情報が入力されたとき、補正係数変更手段１６０が変更情報に基づいて絵素選択手段１５０により選択された補正対象の全ての絵素の輝度補正係数を纏めて変更するようになっている。
【００２８】
また、補正係数が、少なくとも絵素の色温度を制御する色温度補正係数を含み、色温度補正係数を変更する変更情報が入力されたとき、補正係数変更手段１６０が変更情報に基づいて絵素選択手段１５０により選択された補正対象の全ての絵素の色温度補正係数を纏めて変更するようになっている。
【００２９】
また、補正係数が、少なくとも絵素のホワイトバランスを制御するホワイトバランス補正係数を含み、ホワイトバランス補正係数を変更する変更情報が入力されたとき、補正係数変更手段１６０が変更情報に基づいて絵素選択手段１５０により選択された補正対象の全ての絵素のホワイトバランス補正係数を纏めて変更するようになっている。
【００３０】
以上のように構成された映像表示装置について、図３を参照し、その動作を説明する。
【００３１】
まず、映像データ信号生成手段１４０により、予め設定されたテストパターン映像の映像データ信号が生成される。ここで、画面に表示する予め設定されたテストパターン映像として、白色と、赤色と、緑色と、青色の少なくとも４種類のプレーン映像から１つのプレーン映像を選択するよう選択情報に基づいてプレーン映像の映像データ信号が生成される（ステップＳ１２０）。生成された映像データ信号は表示ユニット１３１ごとに取得され、表示制御手段１２０により、表示ユニット１３１が制御される（ステップＳ１３０）。その後、映像表示手段１１０により、画面に予め設定されたテストパターン映像が表示される（ステップＳ１４０）。そして、表示されたテストパターン映像に輝度ムラや色度ムラがあれば、絵素選択手段１５０により、複数の絵素から少なくとも１つの絵素が選択される（ステップＳ１５０）。しかる後、補正係数変更手段１６０により、選択された絵素に対応する補正係数を纏めて変更する変更情報を取得する（ステップＳ１６０）。この変更情報に基づいて、補正係数変更手段１６０により、補正係数が変更される（ステップＳ１７０）。最後に、変更された補正係数が補正係数格納手段１３０に格納される（ステップＳ１８０）。
【００３２】
ここで、輝度補正係数を変更する変更情報を取得したとき、絵素選択手段１５０により選択された補正対象の全ての絵素の輝度補正係数を纏めて変更し、輝度が補正される。また、色温度補正係数を変更する変更情報を取得したとき、絵素選択手段１５０により選択された補正対象の全ての絵素の色温度補正係数を纏めて変更し、色温度が補正される。また、ホワイトバランス補正係数を変更する変更情報を取得したとき、絵素選択手段１５０により選択された補正対象の全ての絵素のホワイトバランス補正係数を纏めて変更し、ホワイトバランスが補正される。
【００３３】
図４乃至６を参照し、絵素が選択される工程（ステップＳ１５０）を更に詳しく説明する。
【００３４】
まず、カーソルが表示される位置の位置情報を取得する（ステップＳ１５１）。この位置情報に基づいて映像データ信号にカーソル情報が付加され、カーソルが表示された絵素はハーフトーン表示される（ステップ１５２）。そして、カーソルで示された絵素を選択する選択情報が取得され（ステップＳ１５３）、選択情報に基づいて絵素が選択されたことを示すマーキングが表示される。ここで、マーキングが表示された絵素は輝度強調表示される。図５は、画面の複数の表示ユニットにまたがる部分に不規則な形状の輝度ムラが発生した状態を示している。一方、図６は、輝度ムラが発生した部分の絵素を選択し、選択された絵素を輝度強調表示した状態を示している。選択された絵素を輝度強調表示することにより、輝度ムラを生じている部分の絵素を全て選択することができる。（ステップＳ１５４）。
【００３５】
以上のように、本発明の実施の形態の映像表示装置１００は、ＣＰＵ１１６が前記画面から少なくとも１つの絵素を選択する絵素選択手段１５０と、選択された絵素に対応する補正係数を変更する変更情報をに基づいて選択された絵素の補正係数を変更する補正係数変更手段１６０とを備えているので、複数の表示ユニットで形成された画面の一つの表示ユニットの一部や複数の表示ユニットにまたがる領域に発生する不規則な形状の輝度ムラや色度ムラが、補正対象の全ての絵素を纏めて、補正されることにより、補正作業を容易にすることができる。
【００３６】
【発明の効果】
以上説明したように、本発明は、複数の表示ユニットで形成された画面の一つの表示ユニットの一部や複数の表示ユニットにまたがる領域に発生する不規則な形状の輝度ムラや色度ムラが、補正対象の全ての絵素を纏めて、補正されることにより、補正作業を容易にするという効果を有する映像表示装置を提供することができるものである。
【図面の簡単な説明】
【図１】本発明の実施の形態の映像表示装置の構成を示すブロック図
【図２】本発明の実施の形態の映像表示装置の構成を示すブロック図
【図３】本発明の実施の形態の映像表示装置の処理手順を示すフローチャート
【図４】本発明の実施の形態の映像表示装置の絵素が選択される処理手順を示すフローチャート
【図５】本発明の実施の形態の映像表示装置の画面の複数の表示ユニットにまたがる部分に不規則な形状の輝度ムラが発生した状態を示した図
【図６】本発明の実施の形態の映像表示装置の画面の輝度ムラが発生した部分の絵素が選択され、輝度強調表示された状態を示した図
【図７】従来の映像表示装置の構成を示すブロック図
【符号の説明】
１００　映像表示装置
１１０　映像表示手段
１１１　ＡＤ変換部
１１２　映像調整部
１１３　テスト信号発生部
１１４　信号伝送部
１１５　監視情報受信部
１１６　ＣＰＵ
１１７　メモリ
１１８　制御情報格納部
１１９　操作パネル
１２０　表示制御手段
１２１　信号分配器
１３０　補正係数格納手段
１３１　表示ユニット
１３２　映像表示部
１４０　映像データ信号生成手段
１５０　絵素選択手段
１６０　補正係数変更手段
【図１】
2004062068.tif 000003
【図２】
2004062068.tif 000004
【図３】
2004062068.tif 000005
【図４】
2004062068.tif 000006
【図５】
2004062068.tif 000007
【図６】
2004062068.tif 000008
【図７】
2004062068.tif 000009